(57)【要約】【課題】電子ペンで描画中に時間情報を確認することができるプロジェクターシステムを提供する。【解決手段】プロジェクター１は、時間情報を計時するタイマー２０１と、時間情報を含む表示データを電子ペン４０に送信する通知手段２６とを備え、電子ペン４０は、プロジェクター１と通信し、時間情報を含む表示データを受信する通信手段４０Ｅと、受信した時間情報を表示する表示手段４０Ｄとを備える。【選択図】図３
2015094769.tif 000002
【特許請求の範囲】
【請求項１】
画像を投写するプロジェクターと、前記画像が投写される投写面に描画するための一つ以上の電子ペンと、を有するプロジェクターシステムであって、
当該プロジェクターは、
時間情報を計時する計時手段と、
前記時間情報を前記電子ペンに送信する通知手段と、
を備え、
前記電子ペンは、
当該プロジェクターと通信し、前記時間情報を受信する通信手段と、
前記時間情報を表示する表示手段と、
を備えることを特徴とするプロジェクターシステム。
【請求項２】
請求項１に記載のプロジェクターシステムであって、
前記時間情報は、指定時点からの経過時間を有することを特徴とする、プロジェクターシステム。
【請求項３】
請求項２に記載のプロジェクターシステムであって、
前記電子ペンは、前記経過時間に応じた報知を行うことを特徴とする、プロジェクターシステム。
【請求項４】
請求項１から３のいずれか一項に記載のプロジェクターシステムであって、
前記時間情報は、所定の時間が経過するまでの残余時間を有することを特徴とする、プロジェクターシステム。
【請求項５】
請求項４に記載のプロジェクターシステムであって、
前記電子ペンは、前記残余時間に応じた報知を行うことを特徴とする、プロジェクターシステム。
【請求項６】
請求項１から５のいずれか一項に記載のプロジェクターシステムであって、
前記計時手段は、複数の前記電子ペン個別に対応する時間情報を計時することを特徴とする、プロジェクターシステム。
【請求項７】
画像を投写するプロジェクターと、前記画像が投写される投写面に描画するための一つ以上の電子ペンと、を有するプロジェクターシステムの制御方法であって、
前記プロジェクターにおいて、時間情報を計時する計時ステップを有し、
前記電子ペンにおいて、前記時間情報を表示する表示ステップを有することを特徴とするプロジェクターシステムの制御方法。
【発明の詳細な説明】
【技術分野】
【０００１】
本発明は、プロジェクターシステム、およびプロジェクターシステムの制御方法に関する。
【背景技術】
【０００２】
学校の授業やプレゼンテーション等で、プロジェクターにより投写した画像に文字や図形を書きこんで説明したいことがある。この場合、スクリーン上に投写した画像上でペン型の入力装置を操作し、文字や図形を書きこむ電子黒板システムが使われている。近年では複数のペンを使い、同時に複数のユーザーが文字や画像を書き込むことができる。
【０００３】
学校の授業やプレゼンテーション等において、プロジェクターの投写画像にペンで文字や図形を書きこむ際、ある時点からの経過時間、または残り時間等が知りたいことがある。このときに、複数のユーザーが同時に書き込みを行っている場合、それぞれが知りたい時間情報が異なる場合がある。例えば、決まった時間内に書き込みを行うとき、開始時間が違う場合や、ユーザーによって持ち時間が異なることもある。そのため、それぞれのユーザーごとに時間情報を画面に表示した場合、画面が複数の時間情報に占有されてしまい、また知りたい時間情報を間違える可能性があった。
特許文献１には任意の時間を設定し、経過時間を表示する表示部を備えたプロジェクター用支持棒が開示されている。このような装置によれば支持棒を保持している人が時間情報を知ることができる。
【先行技術文献】
【特許文献】
【０００４】
【特許文献１】特開平４−１７４４２１号公報
【発明の概要】
【発明が解決しようとする課題】
【０００５】
しかしながら、特許文献１の装置では支持棒自体に時間計測機能を持たせるため、複数の人が（支持棒）ペンを操作する環境においては、授業やデモンストレーションの進行状況の時間経過とペンに表示される時間とにずれが生じる虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、画像を投写するプロジェクターと、前記画像が投写される投写面に描画するための一つ以上の電子ペンと、を有するプロジェクターシステムであって、当該プロジェクターは、時間情報を計時する計時手段と、前記時間情報を前記電子ペンに送信する通知手段と、を備え、前記電子ペンは、当該プロジェクターと通信し、前記時間情報を受信する通信手段と、前記時間情報を表示する表示手段と、を備えることを特徴とする。
【０００８】
本適用例によれば、プロジェクターの計時手段で計時した時間情報を、通知手段を介して電子ペンに送信し、表示させる。これにより、投写画面の一部を占有することなく、電子ペンを使用中にプロジェクターで計時した時間情報を手元で確認することができる。また、プロジェクターが時間情報を計時するので、複数の電子ペンを使用する場合、それぞれの電子ペンに表示する時間情報のずれを防止することが可能となる。
【０００９】
［適用例２］上記適用例に記載のプロジェクターシステムにおいて、前記時間情報は、指定時点からの経過時間を有することが好ましい。
【００１０】
本適用例によれば、電子ペン使用時に指定時点からの経過時間を電子ペンに表示するので、例えば、描画を開始してどのくらいの時間が経過したかを手元で確認することが可能となる。
【００１１】
［適用例３］上記適用例に記載のプロジェクターシステムにおいて、前記電子ペンは、前記経過時間に応じた報知を行うことが好ましい。
【００１２】
本適用例によれば、電子ペン使用時に指定時点からの経過時間に応じた報知を行うので、電子ペンの表示手段を注視しなくても報知手段によりおよその経過時間を知ることが可能となる。
【００１３】
［適用例４］上記適用例に記載のプロジェクターシステムにおいて、前記時間情報は、所定の時間が経過するまでの残余時間を有することが好ましい。
【００１４】
本適用例によれば、電子ペン使用時に所定の時間が経過するまでの残余時間を電子ペンに表示するので、例えば、決められた制限時間まであとどのくらいあるかを手元で確認することが可能となる。
【００１５】
［適用例５］上記適用例に記載のプロジェクターシステムにおいて、前記電子ペンは、前記残余時間に応じた報知を行うことが好ましい。
【００１６】
本適用例によれば、電子ペン使用時に所定の経過時間が経過するまでの残余時間に応じた報知を行うので、電子ペンの表示手段を注視しなくても報知手段によりおよその残余時間を知ることが可能となる。
【００１７】
［適用例６］上記適用例に記載のプロジェクターシステムにおいて、前記計時手段は、複数の前記電子ペン個別に対応する時間情報を計時することが好ましい。
【００１８】
本適用例によれば、複数の電子ペン使用時にそれぞれの電子ペン毎に個別に時間情報を計時する。これにより、例えば電子ペン毎に描画を開始した時点が異なる場合や、計時する所定時間が異なる場合でも、独立して時間情報を計時し、各電子ペンに表示させることが可能となる。
【００１９】
［適用例７］本適用例に係るプロジェクターシステムの制御方法は、画像を投写するプロジェクターと、前記画像が投写される投写面に描画するための一つ以上の電子ペンと、を有するプロジェクターシステムの制御方法であって、前記プロジェクターにおいて、時間情報を計時する計時ステップを有し、前記電子ペンにおいて、前記時間情報を表示する表示ステップを有する、ことを特徴とする。
【００２０】
本適用例によれば、プロジェクターの計時ステップにおいて計時した時間情報を、電子ペンの表示ステップによって表示させる。これにより、投写画面の一部を占有することなく、電子ペンを使用中にプロジェクターで計時した時間情報を手元で確認することができる。また、プロジェクターが時間情報を計時するので、複数の電子ペンを使用する場合、それぞれの電子ペンに表示する時間情報のずれを防止することが可能となる。
【図面の簡単な説明】
【００２１】
【図１】実施形態に係るプロジェクターシステムの使用状態を示す図。
【図２】電子ペンの外観図。
【図３】プロジェクターの回路構成を示すブロック図。
【図４】電子ペンの表示手段の表示例を示す図。
【図５】プロジェクターが計時開始操作を受け付けたときの動作を示すフローチャート。
【図６】電子ペンがプロジェクターより表示データを受信したときの動作を示すフローチャート。
【発明を実施するための形態】
【００２２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２３】
（実施形態）
本実施形態のプロジェクターシステムは、光源から射出された光を画像情報に応じて変調し、投写レンズを介してスクリーン等の投写面に画像を投写するプロジェクターと、投写面に文字または図形を描画するための電子ペンとを有して構成される。
【００２４】
図１は本実施形態のプロジェクターシステム１００を示す模式図である。
図１に示すように、プロジェクターシステム１００は、プロジェクター１がユーザーＨの頭上に天吊り設置され、ユーザーＨはプロジェクター１が画像を投写するスクリーンＳＣ上で電子ペン４０を使って描画操作を行う。プロジェクター１は、後述するペン操作検出手段２５（図３参照）が電子ペン４０の位置情報等の操作情報を検出する。そして、プロジェクター１は、電子ペン４０の描画操作に基づく描画データを画像情報に合成し、投写面としてのスクリーンＳＣに投写する。
【００２５】
図２は電子ペン４０の外観図である。
図２に示すように、電子ペン４０は、先端が尖ったペン型の筐体４０Ａ、筐体４０Ａの先端に配置されたペン先スイッチ４０Ｂ、筐体４０Ａの胴体部分に配置された報知手段４０Ｃ、および表示手段４０Ｄを備える。
また、電子ペン４０は、筐体４０Ａの内部に配置されたプロジェクター１との間で通信を行う通信手段４０Ｅ、および電子ペン４０の動作を制御する制御手段４０Ｆを備える。
【００２６】
図３は、実施形態に係るプロジェクターシステム１００の回路構成を示すブロック図である。
図３に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、通知手段２６、電源端子３０、電源部３１等で構成されており、これらは図示しないプロジェクター１の筐体の内部、または外面に収容されている。
【００２７】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３０】
本実施形態では、光源として光源ランプ１１ａを用いて投写するプロジェクター１を例示したが、光源としてＬＥＤ（Light emitting diode）光源やレーザー光源等を用いて投写するプロジェクターにも適用することができる。
【００３１】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）等、他の表示方式の光変調装置を採用しても良い。
【００３２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間情報を計時する計時手段としての複数のタイマー２０１を備える。それぞれのタイマー２０１は、複数の電子ペン４０それぞれ個別に対応した時間情報を計時する。
【００３３】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では各電子ペン４０の時間情報の種別、報知方法等を示す計時設定情報２１１が記憶される。
計時設定情報２１１に保存される時間情報の種別としては、計時開始時点からの経過時間、または所定の時間が経過するまでの残余時間等がある。例えば、５分経過、１５分経過、３０分経過等の段階毎に異なる経過時間や、残り５分以上、残り１分以上５分未満、残り１分未満等の段階毎に異なる残余時間は、段階毎に異なる報知パターンとして計時設定情報２１１に保存される。
そして、これらの時間情報は、後述する通知手段２６を介して電子ペン４０に送信され、電子ペン４０の報知手段４０Ｃによって報知される。
【００３４】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消しなどを行うための取消キーなどがある。
【００３５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段２０に伝達する。
【００３６】
ペン操作検出手段２５は、図示しない撮像素子等で構成され、制御手段２０の指示に基づいて、複数の電子ペン４０の操作位置（座標）、およびペン先スイッチ４０Ｂの（図２参照）押下状態等のペン操作状態を検出し、検出したペン操作情報を制御手段２０に通知する。
【００３７】
通知手段２６は、赤外線等による無線通信部（図示せず）を備え、電子ペン４０の通信手段４０Ｅとの間で通信を行い、タイマー２０１によって計時した時間情報等の表示データを、対応する各電子ペン４０に送信する。プロジェクター１からは、時間情報の他、計時設定情報２１１に保存される報知方法、時間情報の計時が終了したことを示す計時終了情報が電子ペン４０に送信される。
【００３８】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信等の受信部を備え、外部機器から無線によって画像信号を入力する構成にしてもよい。
【００３９】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４１】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４２】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４３】
光源制御手段２２は、制御手段２０の指示に基づいて、光源１１に対する電力の供給と停止とを制御し、光源１１の点灯及び消灯を切り替える。
【００４４】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４５】
電子ペン４０は、前述したように、ペン先スイッチ４０Ｂ、報知手段４０Ｃ、表示手段４０Ｄ、通信手段４０Ｅ、制御手段４０Ｆ等から構成されており、これらは電子ペン４０の筐体４０Ａ（図２参照）の内部または外面に収容されている。
【００４６】
電子ペン４０は、ペン先スイッチ４０Ｂが押圧されると赤外線等の光を発する。プロジェクター１は、電子ペン４０が発する光をペン操作検出手段２５が検出し、その検出結果に基づいて、電子ペン４０の軌跡の投写や、通知手段２６から電子ペン４０の通信手段４０Ｅへの情報の送信等を行う。
【００４７】
報知手段４０Ｃは、ＬＥＤやブザー等で構成され、電子ペン４０の筐体４０Ａの胴体部分に配置される（図２参照）。報知手段４０Ｃは、制御手段４０Ｆの指示に基づき、プロジェクター１より受信した時間情報に応じ、ＬＥＤの点灯色、点滅パターン、またはブザー音パターン等によりユーザーに報知する。
【００４８】
通信手段４０Ｅは、赤外線等による無線通信部（図示せず）を備え、プロジェクター１の通知手段２６との間で通信を行う。プロジェクター１からは電子ペン４０に対し、時間情報、時間情報の表示方法、時間情報に応じた報知方法等の表示データが送信される。
【００４９】
表示手段４０Ｄは、時間情報を表示する。
図４は、本実施形態の電子ペン４０の表示手段４０Ｄによる時間情報の表示例を示す図である。
表示手段４０Ｄは、例えば、図４（ａ）に示すように、残余時間が１３分１０秒であることを示す表示、図４（ｂ）に示すように、時間計測開始後からの経過時間が１０分１５秒であることを示す表示や、図４（ｃ）に示すように、時間計測が終了した状態を示す表示を行う。
【００５０】
制御手段４０Ｆは電子ペン４０の動作を制御するものであり、通信手段４０Ｅを介してのプロジェクター１との通信、報知手段４０Ｃ、表示手段４０Ｄの制御等を行う。
【００５１】
次に、本実施形態のプロジェクターシステム１００の動作を、図５、および図６のフローチャートを用いて説明する。図５はプロジェクター１が動作中に時間情報の計時開始操作を受け付けたときの動作、図６は電子ペン４０がプロジェクター１よりデータを受信したときの動作を示す。
【００５２】
図５に示すように、プロジェクター１が動作中に時間情報の計時開始操作を受け付けると（ステップＳ１０１）、ステップＳ１０２に遷移する。計時開始操作は、入力操作手段２３による所定操作や、ペン操作検出手段２５が受け付けた電子ペン４０による操作等がある。
【００５３】
ステップＳ１０２において制御手段２０は、計時設定情報２１１に基づき、時間情報を計時する電子ペン４０に対応するタイマー２０１を初期化して計時を開始し、ステップＳ１０３に遷移する。つまり、電子ペン４０が複数用いられる場合には、複数のタイマーは、複数の電子ペン４０それぞれ個別に対応した時間情報を計時する。
【００５４】
ステップＳ１０３において制御手段２０は、タイマー２０１が計時する時間情報と計時設定情報２１１に基づき、時間情報および報知方法等の表示データを、通知手段２６を介し電子ペン４０に送信する。次にステップＳ１０４に遷移する。
【００５５】
ステップＳ１０４において制御手段２０は、タイマー２０１による時間情報が変化したか否かを調べる。時間情報が変化した場合（ステップＳ１０４：Ｙ）には、ステップＳ１０５に遷移する。時間情報が変化していない場合（ステップＳ１０４：Ｎ）には、ステップＳ１０４を繰り返す。ここで、時間情報が変化したとは例えばタイマーが１秒経過したか否かで判断する。
【００５６】
ステップＳ１０５において制御手段２０は、タイマー２０１による時間情報の計時が終了したか否かを調べる。計時が終了した場合（ステップＳ１０５：Ｙ）には、ステップＳ１０６に遷移する。計時が終了していない場合（ステップＳ１０５：Ｎ）には、ステップＳ１０３に遷移する。
【００５７】
ステップＳ１０６において制御手段２０は、時間情報の計時が終了したことを示す計時終了情報を、通知手段２６を介し電子ペン４０に送信する。ステップＳ１０２からステップＳ１０６が計時ステップに相当する。次にステップＳ１０７に遷移する。
【００５８】
ステップＳ１０７において本動作フローを終了する。
【００５９】
図６に示すように、電子ペン４０がプロジェクター１より表示データを受信すると、（ステップＳ２０１）、ステップＳ２０２に遷移する。受信する表示データには、時間情報、報知方法、計時終了情報等が含まれる。
【００６０】
ステップＳ２０２において制御手段４０Ｆは、ステップＳ２０１において受信した時間情報を表示手段４０Ｄに表示させ、ステップＳ２０３に遷移する。ステップＳ２０２が表示ステップに相当する。表示手段４０Ｄの表示内容は上述した図４に示すものであり、時間情報の計時が終了したことを示す計時終了情報を受信した場合には図４（ｃ）に示す表示を行う。
【００６１】
ステップＳ２０３において制御手段４０Ｆは、ステップＳ２０１において受信した時間情報の報知方法に基づき、報知手段４０Ｃに報知させる。次にステップＳ２０４に遷移する。
【００６２】
ステップＳ２０４において本動作フローを終了する。
【００６３】
上述した実施形態によれば、以下の効果を得られる。
本実施形態のプロジェクターシステム１００によれば、プロジェクター１のタイマー２０１で計時した時間情報を、通知手段２６を介して電子ペン４０に送信し、表示させる。これにより、投写画面の一部を占有することなく、電子ペン４０を使用中にプロジェクター１で計時した時間情報を手元で確認することができる。また、プロジェクター１が時間情報を計時するので、複数の電子ペン４０を使用する場合、それぞれの電子ペンに表示する時間情報のずれを防止することが可能となる。
【００６４】
また、時間情報として、指定時点（例えば、プレゼン開始時、描画開始時等計時を開始する時点）からの経過時間、または所定の時間が経過するまでの残余時間を電子ペンに表示するので、例えば描画を開始してからの経過時間、決められた制限時間まであとどのくらいあるか、等を手元で確認することが可能となる。
【００６５】
また、報知手段４０Ｃにより、指定時点からの経過時間、または所定の時間が経過するまでの残余時間に応じた報知を行うので、電子ペン４０の表示手段４０Ｄを注視しなくても、およその経過時間、または残余時間を知ることができる。
【００６６】
また、タイマー２０１は、複数の電子ペン４０使用時にそれぞれの電子ペン４０毎に個別に時間情報を計時する。これにより、例えば電子ペン４０毎に描画を開始した時点が異なる場合や、計時する所定時間が異なる場合でも、独立して時間情報を計時し、各電子ペン４０に表示させることが可能となる。
【００６７】
また、上記実施形態は、以下のように変更してもよい。
（変形例１）
上述した実施形態において、電子ペン４０の表示手段４０Ｄは、所定の設定操作により、時間情報の表示方向を上下反転するようにしてもよい。これにより、右手、左手のいずれで電子ペン４０を保持した場合でも時間情報を正しく視認することが可能となる。
【符号の説明】
【００６８】
１００…プロジェクターシステム、１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…タイマー、２１…記憶手段、２１１…計時設定情報、２２…光源制御手段、２３…入力操作手段、２５…ペン操作検出手段、２６…通知手段、３０…電源端子、３１…電源部、４０…電子ペン、４０Ｂ…ペン先スイッチ、４０Ｃ…報知手段、４０Ｄ…表示手段、４０Ｅ…通信手段、４０Ｆ…制御手段。
【図１】
2015094769.tif 000003
【図２】
2015094769.tif 000004
【図３】
2015094769.tif 000005
【図４】
2015094769.tif 000006
【図５】
2015094769.tif 000007
【図６】
2015094769.tif 000008